(57)【特許請求の範囲】
【請求項１】
略矩形の外側シートとこれに貼合される柔軟な内側シートとによって形成される基材シートからなり、
上記外側シートが、
縦方向両縁に沿って延びた一対の貼着折目により外側に区画された貼着部と、
縦方向に互いに平行に延びた一対の底辺折目により区画された横方向中央の底面部と外側一対の壁面部とからなり、
上記底面部および該底面部と隣接する上記貼着部には、縦方向に延びる１乃至複数の底面折目が形成され、
上記底面部が、
縦方向中央の主底面部と、
上記主底面部を挟んでそれぞれ縦方向外側に連設されて、縦方向内側の立壁谷折り折目と外側の立壁山折り折目とで囲まれた一対の立壁部と、
上記一対の立壁部の縦方向外側にそれぞれ連設された一対の副底面部と、
上記副底面部の外周線より縦方向外側部分を切欠して形成した一対の切欠部とを備え、
上記基材シートを上記壁面部が互いに対面するように上記底辺折目および上記底面折目を折り曲げて、上記貼着部を貼合することにより、
不使用時には上記底面部が上記両側の壁面部の間に折り重ねられて扁平な形状を保つとともに、
使用時には、上記底面部が展開されるとともに両側の上記壁面部が湾曲もしくは屈曲して、平面視で略円形となるように組み立てられることを特徴とする携帯用折り畳み容器。
【請求項２】
上記副底面部の形状が略半円形もしくは略欠円形で、
使用時には、上記壁面部が上記副底面部の外周部分にほぼ沿って湾曲もしくは屈曲されるように組み立てられることを特徴とする請求項１記載の携帯用折り畳み容器。
【請求項３】
上記底面折目が、上記底面部の横方向中央に設けられた第一底面折目と、該第一底面折目からそれぞれ等距離となる位置に設けられた一対の第二底面折目とからなり、上記第一底面折目が谷折りに折り曲げられるとともに上記各第二底面折目が山折りに折り曲げられることによって上記底面部が上記両側の壁面部の間に折り重ねられていることを特徴とする請求項１または２記載の携帯用折り畳み容器。
【請求項４】
上記外側シートが、上記それぞれの壁面部において、上記底辺折目に対して垂直方向に延びる複数の側面折目をそれぞれ備えることを特徴とする請求項１〜３いずれかに記載の携帯用折り畳み容器。
【請求項５】
上記側面折目が、上記それぞれの壁面部において、
上記立壁山折り折目と上記底辺折目との交点を通る第一側面折目と、
該第一側面折目から縦方向外側に設けられて、該第一側面折目と隣接する第二側面折目とをそれぞれ有し、
上記底面部が、上記底辺折目のうち上記第一側面折目と上記第二側面折目とで挟まれた部分を底辺とする略三角形状であって、上記立壁部に折目を介して連なる支持部をそれぞれ備え、
該支持部が切欠されずに残されていることを特徴とする請求項４記載の携帯用折り畳み容器。
【請求項６】
上記底辺折目のうち組み立て時に上記副底面部の外周を囲む部分の長さと、該底辺折目により囲まれる上記副底面部の外周長さとが略同等であることを特徴とする請求項２〜５いずれかに記載の携帯用折り畳み容器。
【発明の詳細な説明】
【技術分野】
【０００１】
本発明は、不使用時には扁平に折り畳んで容易に携帯可能であるとともに、使用時には内容物を注入しないでもそれ自体で自立性を有する携帯用折り畳み容器に関するものである。
【背景技術】
【０００２】
携帯用折り畳み容器としては、外側シートと可撓性を有する内側シートとを貼合してその一部を切り欠きして形成したものが知られている。
【０００３】
図１２、図１３、図１４は特許文献１に示された従来の携帯用折り畳み容器の展開図、組み立て時の斜視図および内外シートを貼合した際のシートＳの断面図である。外側シートＯには折目Ｂａ、Ｂｃ〜Ｂｆおよび切目Ｂｂが設けられており、これらによって各領域が区画されている。すなわち、横方向両縁に貼着部Ｂ２が区画され、縦方向両縁に貼着部Ｂ１が区画され、この貼着部Ｂ１に挟まれた領域の横方向外側に壁面部Ｂ３が区画され、その中央に底面部Ｂ２０が区画されている。また、底面部Ｂ２０にはその四隅に補強部Ｂ１０が設けられるとともに縦方向中央に主底面部Ｂ４とこれに隣接する立壁部Ｂ５とが区画されており、この立壁部Ｂ５の外周Ｂｇと補強部Ｂ１０とに挟まれた切欠部Ｂ７は外側シートＯが切欠されて内側シートＩが露出している。
【０００４】
このようにして形成されたシートを、縦方向に平行に設けられた一対の底辺折目Ｂｃと該底辺折目Ｂｃ間中央に設けられた底面折目Ｂｄとを両壁面部Ｂ３が互いに対面するように折り曲げ、かつ対向する貼着部Ｂ１、Ｂ２をそれぞれ貼合することで、不使用時には底面部Ｂ２０が壁面部Ｂ３の間に折り重ねられて扁平な形状を保つとともに、使用時には切目Ｂｂを基に貼着部Ｂ２が切取られ底面部Ｂ２０が展開されて自立性を有するような折り畳み容器が開示されている。
【特許文献１】実公平７−１２２４４号公報
【発明の開示】
【発明が解決しようとする課題】
【０００５】
上記のような従来の携帯用容器は、図１３に示すように組み立て時に立壁部Ｂ５が上方に立ち上がり矩形の主底面部Ｂ４のみが容器の底面となる略直方体の容器である。従って、円形の食品を入れて使用する場合には食品に対して容器が過剰に大きくなり持ち運びが不便であるとともに、例えば円形の即席麺を容器に挿入し湯をかけて調理する場合には過剰な湯が必要となって非効率であった。また飲食し難くいという課題もあり、以前より自立性があり底面が円形となるどんぶり形状の携帯用容器が求められていた。
【０００６】
本発明は上記の点に鑑みてなされたものであり、使用時に平面視で略円形となる自立性のある携帯用折り畳み容器を提供することを目的とする。
【課題を解決するための手段】
【０００７】
上記課題を解決するために本発明は、略矩形の外側シートとこれに貼合される柔軟な内側シートとによって形成される基材シートからなり、上記外側シートが、縦方向両縁に沿って延びた一対の貼着折目により外側に区画された貼着部と、縦方向に互いに平行に延びた一対の底辺折目により区画された横方向中央の底面部と外側一対の壁面部とからなり、上記底面部および該底面部と隣接する上記貼着部には、縦方向に延びる１乃至複数の底面折目が形成され、上記底面部が、縦方向中央の主底面部と、上記主底面部を挟んでそれぞれ縦方向外側に連設されて、縦方向内側の立壁谷折り折目と外側の立壁山折り折目とで囲まれた一対の立壁部と、上記一対の立壁部の縦方向外側にそれぞれ連設された一対の副底面部と、上記副底面部の外周線より縦方向外側部分を切欠して形成した一対の切欠部とを備え、上記基材シートを上記壁面部が互いに対面するように上記底辺折目および上記底面折目を折り曲げて、上記貼着部を貼合することにより、不使用時には上記底面部が上記両側の壁面部の間に折り重ねられて扁平な形状を保つとともに、使用時には、上記底面部が展開されるとともに両側の上記壁面部が湾曲もしくは屈曲して、平面視で略円形となるように組み立てられることを特徴とする携帯用折り畳み容器を提供する。
【０００８】
このような構成によれば、使用時に、壁面部を湾曲もしくは屈曲することで容器を平面視で略円形とすることができるとともに、底面部を下として上記立壁山折り折目を山折りにし上記立壁谷折り折目を谷折りにして立壁部を主底面部に対して鉛直方向に起こすことで、壁面部間に亘って下方に凸状となる部分を形成することができる。この凸状部分は、使用時に両壁面部を互いに引き離し底面部を展開した際に、両壁面部がその復元力によって再び近接し扁平な形状に戻ろうとするのを抑止することができる。また、立壁部の外側にそれぞれ副底面部を設けることで、立壁部より外側の底面が保護されるとともに、壁面部のうち立壁部より外側の底面を囲う部分がその復元力によって扁平な形状に戻ろうとするのを抑止することができる。すなわち、上記構成によって平面視で略円形となる自立性が確保されたどんぶり形状の携帯用容器を提供することができる。
【０００９】
また本発明において、上記副底面部の形状が略半円形もしくは略欠円形で、使用時には、上記壁面部が上記副底面部の外周部分にほぼ沿って湾曲もしくは屈曲されるように組み立てられるのが好ましい。
【００１０】
このような構成によれば、主底面部と副底面部とにより略円形の底面を形成することができる。従って、壁面部がこれら底面部に沿って湾曲もしくは屈曲されることで、容器を確実に略円形に組み立てることができる。
【００１１】
また本発明において、上記底面折目が、上記底面部の横方向中央に設けられた第一底面折目と、該第一底面折目からそれぞれ等距離となる位置に設けられた一対の第二底面折目とからなり、上記第一底面折目が谷折りに折り曲げられるとともに上記各第二底面折目が山折りに折り曲げられることによって上記底面部が上記両側の壁面部の間に折り重ねられているのが好ましい。
【００１２】
このような構成によれば、組み立て時の底面部の最大高さを低く抑えることができ底面をより円形に保形できるとともに、貼着部における貼合力を確保することができる。
【００１３】
また本発明において、上記外側シートが、上記それぞれの壁面部において、上記底辺折目に対して垂直方向に延びる複数の側面折目をそれぞれ備えていてもよい。
【００１４】
このような構成によれば、上記側面折目の折り癖により壁面部が屈曲するので組み立てが容易になるとともに、保形性が向上する。
【００１５】
また本発明において、上記側面折目が、上記それぞれの壁面部において、上記立壁山折り折目と上記底辺折目との交点を通る第一側面折目と、該第一側面折目から縦方向外側に設けられて、該第一側面折目と隣接する第二側面折目とをそれぞれ有し、上記底面部が、上記底辺折目のうち上記第一側面折目と上記第二側面折目とで挟まれた部分を底辺とする略三角形状であって、上記立壁部に折目を介して連なる支持部をそれぞれ備え、該支持部が切欠されずに残されていてもよい。
【００１６】
このような構成によれば、組み立て時に、壁面部が、上記第一側面折目および第二側面折目で折り曲げられるとともに、第一底面折目と第二底面折目との間で折り曲げられるのが抑止されるので、容器を所定の形状に組み立てることが容易になる。また、底辺折目部分が支持部によって保護されるので容器の耐久性が向上する。
【００１７】
また本発明において、上記底辺折目のうち組み立て時に上記副底面部の外周を囲む部分の長さと、該底辺折目により囲まれる上記副底面部の外周長さとが略同等であるのが好ましい。
【００１８】
このような構成によれば、組み立て時に、壁面部が副底面部の外周全域にわたって当接し、容器の保形性が向上する。
【発明の効果】
【００１９】
以上のように、本発明によれば平面視で略円形となる自立性を有する携帯用折り畳み容器を提供することができる。
【発明を実施するための最良の形態】
【００２０】
本発明に係る携帯用折り畳み容器の第一の実施例について説明する。
【００２１】
図１、図２、図３および図４は、本実施例の展開図、分解斜視図、組み立て時の上面からの斜視図および組み立て時の下面からの斜視図である。
【００２２】
図１に示すように、本容器は、比較的剛性の高い略矩形の外側シートＯと比較的柔軟性のある内側シートＩとを貼合させた基材シートＳから形成されている。例えば外側シートＯには比較的剛性の高い紙やプラスチック等を用いればよく、内側シートＩにはプラスチックフィルムの単体またはポリエステル、ポリプロピレン、ポリアミド等のプラスチックフィルムにアルミ箔を蒸着したもの等を用いればよい。
【００２３】
外側シートＯには、縦方向両縁に沿って延びる貼着折目ａ、ａと横方向両縁に沿って延びる切目ｂ、ｂが設けられ、貼着折目ａ、ａの外側には貼着部１、１が区画されており、切目ｂ、ｂの外側には貼着部２、２が区画されている。
【００２４】
ここで、本発明における折目とは、その線に沿って折り曲げ易いようにシートに何らかの処理を加えたもの（例えば折り癖やミシン目を設ける等）と、その線に沿って折り曲げることを表示した線のいずれをも含む。
【００２５】
また、上記シートＳの横方向中央付近には縦方向に延びる一対の底辺折目ｃ、ｃが設けられ、この底辺折目ｃ、ｃにより中央の底面部２０と外側一対の壁面部３、３とが区画されている。
【００２６】
この底面部２０およびこれと隣接する貼着部には、横方向中央の第一底面折目ｄ１と、この第一底面折目ｄ１と底辺折目ｃ、ｃとのほぼ中央に設けられた第二底面折目ｄ２、ｄ２とからなる底面折目ｄが設けられている。
【００２７】
また、底面部２０には、その縦方向中央に立壁谷折り折目ｅ、ｅによって主底面部４が区画されており、この主底面部４のそれぞれ外側に上記立壁谷折り折目ｅ、ｅと立壁山折り折目ｆ、ｆとで区画された立壁部５が連設されており、さらにその外側に略半円形もしくは略欠円形の副底面部６、６が連設されている。ここで、図１に示す実施例では立壁部５が略欠円形の形状となるように、立壁谷折り折目ｅ、ｅを互いに平行な直線にするとともに立壁山折り折目ｆ、ｆを円弧線としているが、この形状以外にも立壁谷折り折目ｅ、ｅを縦方向内側に凸となる形状に湾曲もしくは屈曲させたり、立壁山折り折目ｆ、ｆを縦方向外側に凸となる形状に屈曲させてもよい。
【００２８】
また、上記副底面部６、６の外側、すなわち副底面部６、６の外周ｇと底辺折目ｃ、ｃと貼着折目ａ、ａとで囲まれた切欠部７、７には、外側シートＯは存在せず、この切欠部７、７は内側シートＩのみで形成されている。
【００２９】
また、底辺折目ｃのうち副底面部６、６の外周を囲む部分の長さＸと、この底辺折目により囲まれる副底面部の外周長さＹとがほぼ同等となるように設定されている。
【００３０】
次に、図２に示すように、上記のように形成された基材シートＳを、内側シートＩを内側として底辺折目ｃ、ｃおよび上記第一底面折目ｄ１を谷折りに、第二底面折目ｄ２を山折りに折り曲げ、壁面部３、３が互いに対面するように底面部２０を壁面部３、３の間に折り重ねていく。その後、貼着部１、１および貼着部２、２のそれぞれ対向する部分をヒートシール等によって貼着させることで本発明の容器が形成される。
【００３１】
本容器は、不使用時には、上記のように底面部２０を壁面部３、３の間に折り重ねて扁平な形状にしておき、嵩張らずに容易に携帯できるようにしておくのがよい。
【００３２】
次に、使用時の組み立て方法について説明する。まず貼着部２、２を切目ｂ、ｂに沿って切除または開放し開口部を設ける。次に、対面する壁面部３、３を引き離し、底面部２０を展開する。この時、切欠部７の内側シートＩが撓んで壁面部３、３が副底面部６、６の外周ｇにほぼ沿って湾曲するので、容器の底面をほぼ円形に形成することができる。さらに、主底面部４に設けられた立壁谷折り折目ｅ、ｅおよび立壁山折り折目ｆ、ｆが、底面を下方として各々谷折りおよび山折りに折り曲げられることで、図３および図４に示すように、立壁部５、５が主底面部４に対して上方に立ち上がり、副底面部６、６が主底面部４に対して上方に持ち上げられる。この結果、副底面部６、６に対して下方に凸状となる部分が形成される。
【００３３】
この凸状部分は両壁面部３、３にわたって形成され、壁面部３、３が元の扁平な状態に戻ろうとするのを防止するとともに、底面折目ｄの折り癖により底面部２０が元の折り重ねられた状態に戻ろうとするのを防止している。これによって本容器の自立性は確保され、平面視で円形乃至これに近似した形状の収容部が形成される。特に、副底面部６、６の外周長さＹとこれを囲む底辺折目ｃの長さＸをほぼ同等にすることで、壁面部３、３は副底面部６、６の外周に当接し、収容部の平面視での形状が主底面部４と副底面部６、６とで形成される略円形になるとともに、副底面部６、６を囲む壁面部分３、３が扁平な形状に戻るのを抑止することができる。
【００３４】
こうして、円形の即席麺等に適合したどんぶり形状の容器が形成される。
【００３５】
ここで、上記実施例では、底面折目ｄを３本（ｄ１、ｄ２、ｄ２）設けた場合について示したが、底面折目ｄは適宜１乃至複数本設ければよい。底面折目ｄを１本とした場合の図を図５、６、７に示す。底面折目ｄを少なくすれば、壁面部３、３の間に折り重ねられる貼着部１、１の厚さが減少するため、必要な貼着力を小さくすることができる。また、逆に底面折目ｄを多数設けた場合には、組み立て時に底面の最大高さを低くすることができるので、容器をより円形に組み立てることが可能となる。従って、シートの材質等に応じて底面折目は適宜設定可能であるが、これらの両立を図って上記実施例のように底面折目ｄを３本とするのが好ましい。
【００３６】
次に、本発明に係る携帯用折り畳み容器の第二の実施例について説明する。
【００３７】
図８に本実施例の展開図を示す。本実施例の外側シートＯには、上記第一の実施例と同様に、貼着部１、２、底面部２０、壁面部３が各折目および切目により区画されており、底面部２０には主底面部４、立壁部５、副底面部６、切欠部７がそれぞれ設けられている。ここで図８に示すように、立壁谷折り折目ｅ、ｅは縦方向内側に凸となる形状であってもよい。また、図８に示すように、副底面部６と底辺折目ｃとを離間させるとともに副底面部６、６の外周長さＹをこれを囲む底辺折目ｃの長さＸよりも小さくしておけば、壁面部３、３と副底面部６、６との間にゆとりができるので組み立て易くなる。上記第一の実施例のようにＸ≒Ｙとするか本実施例のようにＸ＞Ｙとするかは基材シートの材質等に合わせて適宜変更すればよい。
【００３８】
また、本実施例では、壁面部３、３上に、立壁山折り折目ｆ、ｆと底辺折目ｃ、ｃとの交点を基点とする第一側面折目ｈ１と、この第一側面折目ｈ１の縦方向外側に第一側面折目ｈ１と隣接するように設けられた第二側面折目ｈ２と、この第二側面折目ｈ２よりも縦方向外側に設けられた側面折目ｈ３とがそれぞれ４本ずつ設けられている。
【００３９】
切欠部７の四隅には、それぞれ対称に、底辺折目ｃ、ｃのうち第一底辺折目ｈ１と第二底辺折目ｈ２とで挟まれた線分を底辺とする略三角形状の支持部８が外側シートＯによって形成されている。すなわち、この支持部８の外側シートＯは切欠されずに残されている。
【００４０】
また、切欠部７には、上記支持部８の縦方向外側に底辺折目ｃ、ｃのうち第二側面折目ｈ２と側面折目ｈ３とで挟まれた線分を底辺とする略三角形状の押上部９が、外側シートＯによってそれぞれ対称に形成されている。
【００４１】
さらに、切欠部７には、外側シートＯによって、上記押上部９の外側であって底面部２０の四隅に貼着折目ａと底辺折目ｃとを二辺とする補強部１０がそれぞれ対称に形成されている。
【００４２】
そして、切欠部７のうち、上記支持部８、押上部９および補強部１０以外の部分、すなわち上記支持部８の斜辺ｉと上記押上部９の辺ｊと上記補強部１０の斜辺ｋと貼着折目ａと副底面部６の外周ｇとで囲まれた部分は、内側シートＩのみにより形成されている。つまり、上記部分の外側シートＯは切欠されている。
【００４３】
このようにして形成された基材シートＳは、第一の実施例と同様に折り曲げられ貼着されることにより折り畳み容器として形成される。
【００４４】
次に、本実施例の使用時の形状について図９および図１０を用いて説明する。図９および図１０はそれぞれ本実施例の組み立て時の上面からの斜視図および下面からの斜視図である。
【００４５】
この図にあるように、本実施例では壁面部３、３が各側面折目ｈ１、ｈ２、ｈ３の部分で折り曲げられるので平面視で円形に近似した多角形状の容器が形成される。ここで、本実施例のように支持部８、押上部９および補強部１０を、それぞれ側面折目ｈ１、ｈ２、ｈ３に挟まれた壁面部３に連なるように設けておけば、壁面部３がこれらの領域内で折り曲げられるのが抑止されて、所定の多角形状に組み立てることが容易になる。
【００４６】
また、支持部８、押上部９、補強部１０によって内側シートＩが下面から押し上げられるため、内側シートＩの皺が減少し底面の見栄えが比較的向上する。
【００４７】
さらに、支持部８、押上部９、補強部１０によって底辺折目ｃが保護されるため、容器の耐久性が向上する。
【００４８】
ここで、上記実施例では支持部８、押上部９、補強部１０がそれぞれ連設されるような場合を示したが分離していてもよい。また押上部９および押上部９の頂点に対応する側面折目ｈを複数設けてもよい。
【００４９】
また、副底面部６は、上記第一の実施例および第二の実施例における欠円形状ないし半円形状以外に、それに近似した多角形状であってもよい。
【００５０】
さらに、副底面部６は、底辺折目ｃ、ｃや支持部８と連なる必要はなく、立壁山折り折目ｆ、ｆの横方向中央付近に設けられてもよい。
【００５１】
また、立壁部５および支持部８等の組み立てを容易にするために、図１１に示すように、立壁部５のうち支持部８に連設される部分およびその近傍を切欠してもよい。
【００５２】
また、当然のことながら、第一の実施例と第二の実施例とを適宜組み合わせて用途に応じた容器を形成してもよい。
【図面の簡単な説明】
【００５３】
【図１】本発明に係る携帯用折り畳み容器の第一の実施例の展開図である。
【図２】上記第一の実施例の分解斜視図である。
【図３】上記第一の実施例の組み立て斜視図である。
【図４】上記第一の実施例組み立て時の下方からの斜視図である。
【図５】上記第一の実施例の折り畳み方法変更例の展開図である。
【図６】上記第一の実施例の変更例の分解斜視図である。
【図７】上記第一の実施例の変更例の組み立て斜視図である。
【図８】本発明に係る携帯用折り畳み容器の第二の実施例の展開図である。
【図９】上記第二の実施例の組み立て斜視図である。
【図１０】上記第二の実施例組み立て時の下方からの斜視図である。
【図１１】上記第二の実施例の変形例の展開図である。
【図１２】従来の携帯用折り畳み容器の展開図である。
【図１３】従来の携帯用折り畳み容器組み立て時の下方からの斜視図である。
【図１４】従来および本発明に係る携帯用折り畳み容器のシートの断面図である。
【符号の説明】
【００５４】
１    貼着部
３    壁面部
４    主底面部
５    立壁部
６    副底面部
７    切欠部
８    支持部
ａ    貼着折目
ｃ    底辺折目
ｄ    底面折目
ｅ    立壁谷折り折目
ｆ    立壁山折り折目
ｈ    側面折目
ｈ１  第一側面折目
ｈ２  第二側面折目
【図１】
0004571085.tif 000002
【図２】
0004571085.tif 000003
【図３】
0004571085.tif 000004
【図４】
0004571085.tif 000005
【図５】
0004571085.tif 000006
【図６】
0004571085.tif 000007
【図７】
0004571085.tif 000008
【図８】
0004571085.tif 000009
【図９】
0004571085.tif 000010
【図１０】
0004571085.tif 000011
【図１１】
0004571085.tif 000012
【図１２】
0004571085.tif 000013
【図１３】
0004571085.tif 000014
【図１４】
0004571085.tif 000015